(57)【特許請求の範囲】
【請求項１】
足場の壁つなぎを建物の鉄骨に取り付けるのに用いられる壁つなぎ取付け金物であって、
壁つなぎを連結する連結部を有すると共に、
建物鉄骨であるＨ形鋼梁の下フランジに屋内側から係合する上向きの屋内側爪部材と、
該建物鉄骨の下フランジに屋外側から係合する上向きの屋外側爪部材と
が備えられ、
いずれか一方の爪部材が、上向き開放のリップ無し溝形形状をした断面コ字状のガイドレール部を備え、該ガイドレール部の溝内に、もう一方の爪部材がレール方向に移動自在でかつ両爪部材の相対回転を阻止する態様で配置され、
該もう一方の爪部材にはナットが一体的に設けられると共に、前記一方の爪部材にはパイプ材が一体的に設けられ、該パイプ材に通された軸部材の一端側が前記ナットに螺合されると共に、該軸部材においてパイプ材を挟んでナットとは反対の側に長ナットが一体的に取り付けられ、
該長ナットを回転操作して軸部材を回転することにより、前記もう一方の爪部材が前記一方の爪部材に対して相対的に接近・離反の動作を行うようになされており、かつ、
前記パイプ材によって、軸部材が、前記一方の爪部材のリップ無し溝形形状をした断面コ字状のガイドレール部の溝内に保持されると共に、該パイプ材に通された軸部材によって、前記もう一方の爪部材が、前記一方の爪部材のリップ無し溝形形状をした断面コ字状のガイドレール部の溝内に保持されていることを特徴とする足場の壁つなぎ取付け金物。
【請求項２】
ガイドレール部を備えた前記一方の爪部材が屋外側爪部材であり、前記長ナットが壁つなぎを連結する連結部である請求項１に記載の足場の壁つなぎ取付け金物。
【発明の詳細な説明】
【０００１】
【発明の属する技術分野】
本発明は、足場の壁つなぎ取付け金物に関する。
【０００２】
【従来の技術】
鉄骨造建物の建築において、建物の周囲に設置した足場を壁つなぎで建物に連結することが行われており、その場合に、壁つなぎを建物に取り付けるため、壁つなぎ取付け金物を用い、この取付け金物を介して壁つなぎを建物の鉄骨に連結することが行われている。
【０００３】
そのような壁つなぎ取付け金物として、従来、図６（イ）に示すように、屋内側爪部材５１と屋外側爪部材５２とに軸部材５３を通し、軸部材５３の外周部に形成した雄ネジ部５３ａと屋内側爪部材５１に備えさせた雌ネジ部５１ａとを螺合させると共に、屋外側爪部材５２から外方に突出する軸部材５３の部分に長ナット５４を軸部材５３と一体回転するように取り付けたものが知られている（意匠登録第１０８２５２２号公報）。
【０００４】
この取付け金物５０は、両爪部材５１，５２を上向きにし、長ナット５４を回して両爪部材５１，５２を接近させ、両爪部材５１，５２をそれぞれ、建物鉄骨であるＨ形鋼梁５５の下フランジ５５ａの屋内側と屋外側の各縁部に係合状態にすることで、建物鉄骨５５側に取り付けられる。
【０００５】
金物５０のこの取付けを屋外側から行う場合は、屋内側爪部材５１を手で上向きに保持しつつ、この屋内側爪部材５１をＨ形鋼梁５５の下フランジ５５ａの屋内側縁部に係合させ、その係合状態を保持しながら、長ナット５４を回して屋外側爪部材５２をＨ形鋼梁５５の下フランジ５５ａの屋外側縁部に係合させるというように行うことになる。足場５６は、この取付け金物５０の長ナット５４に螺合させた壁つなぎ５７を連結することで、建物に対して壁つなぎ状態となる。
【０００６】
【発明が解決しようとする課題】
しかしながら、上記の取付け金物５０では、屋外側からの取付けにおいて、屋内側爪部材５１をＨ形鋼梁５５の屋内側に係合させる際、屋内側爪部材５１は、これをフリーにしたのでは、図６（ロ）に示すように、回転して下向きになってしまい、Ｈ形鋼梁５５の下フランジ５５ａの屋内側の縁部と係合させることができないため、屋外側から屋内側に手を伸ばし、屋内側爪部材５１を上向きになるよう手で支えながらＨ形鋼梁５５の下フランジ５５ａの屋内側に係合させなければならず、建物鉄骨５５に対する金物５０の取付けが厄介であるという問題があった。
【０００７】
また、この取付け金物５０において両爪部材５１，５２は自由に相対回転してしまうため、両爪部材５１，５２が互いに異なる方向を向いて保管や運搬等において嵩張ったり、取扱いが厄介であったりするなどの問題もあった。
【０００８】
本発明は、上記のような問題点に鑑み、建物の鉄骨に容易に取り付けることができ、しかも、運搬や保管等において嵩張らず、取扱いが容易な、足場の壁つなぎ取付け金物を提供することを課題とする。
【０００９】
【課題を解決するための手段】
上記の課題は、足場の壁つなぎを建物の鉄骨に取り付けるのに用いられる壁つなぎ取付け金物であって、
壁つなぎを連結する連結部を有すると共に、
建物鉄骨に屋内側から係合する屋内側爪部材と、
建物鉄骨に屋外側から係合する屋外側爪部材と、
両爪部材に回転自在に通された軸部材と、
軸部材を回転することにより、両爪部材を相対的に接近・離反させるネジ機構と
が備えられて、軸部材を回転し両爪部材を相対接近させこれら両爪部材を建物鉄骨と係合状態にすることにより、建物鉄骨に取り付けられるようになされており、かつ、
軸部材上で回転自在の両爪部材が相対回転するのを阻止し同じ向きを向いた状態に保持する向き固定手段が備えられていることを特徴とする足場の壁つなぎ取付け金物によって解決される。
【００１０】
この取付け金物では、向き固定手段が備えられていることにより、一方の爪部材を上向きになるように保持することで、もう一方の爪部材も上向きに保持される。
【００１１】
従って、取付け金物を例えば屋外側から建物鉄骨に取り付ける場合に、例えば屋外側爪部材を手で例えば上向きに保持すれば、屋内側に手を伸ばして屋内側爪部材を支えるようなことをしなくとも、屋内側爪部材も上向きに保持され、この屋内側爪部材を屋外側から建物鉄骨の屋内側に容易に係合させることができ、それによって、取付け金物を建物鉄骨に容易に取り付けることができる。
【００１２】
もちろん、取付け金物を屋内側から建物鉄骨に取り付ける場合においても、例えば屋内側爪部材を手で例えば上向きに保持すれば、屋外側に手を伸ばして屋外側爪部材を支えるようなことをしなくとも屋外側爪部材も上向きに保持され、この屋外側爪部材を屋内側から建物鉄骨の屋外側に係合させることができ、この場合も、取付け金物を建物鉄骨に容易に取り付けることができる。
【００１３】
また、上記の向き固定手段によって、両爪部材は、取付け金物単独の状態において常に同じ向きを向くから、保管や運搬において嵩張ることもないし、取扱いも容易である。
【００１４】
上記の壁つなぎ取付け金物において、向き固定手段が、いずれか一方の爪部材に一体に備えられたガイドレール部からなり、このガイドレール部にもう一方の爪部材がレール方向に移動自在でかつ両爪部材の相対回転を阻止する態様に組み合わされているとよい。
【００１５】
この取付け金物では、ガイドレール部がいずれか一方の爪部材に一体に備えられているので、向き固定手段が備えられているからといって、取付け金物の構成部品点数が増加してしまうことがなく、金物を少ない点数の部品の組み合わせで容易に製作することができる。
【００１６】
【発明の実施の形態】
次に、本発明の実施形態を図面に基づいて説明する。
【００１７】
図１〜図３に示す実施形態の金属製の壁つなぎ取付け金物１において、２は屋内側爪部材、３は屋外側爪部材、４は軸部材、５は壁つなぎ連結部となる長ナットであり、壁つなぎ取付け金物１は、これら部品によって構成されている。
【００１８】
屋内側爪部材２は、上向きに開放した断面コ字状で側面視Ｌ字形のピース物からなっていて、左右のＬ立ち上がり板部２ａ，２ａを爪部とし、爪部２ａ，２ａの内縁側は、下方に向けて内向きに傾斜している。また、この屋内側爪部材２のコ字状内には、その底側に位置して雌ネジ部を構成するナット２ｂが溶接等によって一体的に取り付けられている。なお、爪部２ａ，２ａ間には蓋板２ｃが備えられている。
【００１９】
屋外側爪部材３は、上向きに開放した断面コ字状で側面視Ｌ字形の長尺材からなり、その一端側の左右の立ち上がり板部３ａ，３ａを爪部とし、爪部３ａ，３ａの内縁側は、下方に向けて内向きに傾斜している。
【００２０】
この屋外側爪部材３において、爪部３ａ，３ａよりも他端側の領域部分がガイドレール部３ｂであり、このコ字状ガイドレール部３ｂ内に、屋内側爪部材２が、その爪部２ａ，２ａを屋外側爪部材３の爪部３ａ，３ａと同じ上向きに向けるようにして、レール方向に摺動自在となるようしっくりと配置され、両爪部材２，３は、ガイドレール部３ｂと屋内側爪部材２との係合によって相対回転が阻止されるようになされている。本発明のおける向き固定手段は、このガイドレール部３ｂによって構成されている。
【００２１】
なお、両爪部材２，３の爪部２ａ，３ａを同じサイズにするため、屋外側爪部材３のガイドレール部３ｂのコ字状サイズはテーパー部３ｃを介して爪部３ａ側のコ字状サイズよりも大きくつくられている。また、爪部３ａ，３ａ間には蓋板３ｅが備えられている。
【００２２】
そして、この屋外側爪部材３の爪部３ａ，３ａ側のコ字状内には、所定の長さ寸法のパイプ材３ｄが溶接等により一体的に取り付けられ、外周円形の軸部材４がこのパイプ材３ｄに通され、軸部材４の先端部は、屋内側爪部材２のナット２ｂと螺合されている。屋内側爪部材２のナット２ａと、このナット２ａと螺合する軸部材４の先端側外周部の雄ネジ部４ａが、本発明におけるネジ機構を構成し、軸部材４が回転することで、屋内側爪部材２は屋外側爪部材３のガイドレール部３ｂ内を軸部材４に沿ってネジ送りされ、爪部２ａが屋外側爪部材３の爪部３ａに対して相対的に接近・離反をするようになされている。
【００２３】
また、軸部材４は、その基端外周部にも雄ネジ部４ｂが形成され、この雄ネジ部４ｂに長ナット５の一端側半部が螺合され、その螺合状態において軸部材４と長ナット５とは結合一体化されて一体回転するようになされ、長ナット５を回すことで軸部材４を回転させることができるようになっている。この長ナット５の他端側半部が壁つなぎ連結部である。
【００２４】
パイプ材３ｄの内周サイズと長さ寸法と取付け位置との関係は、このパイプ材３ｄに通した軸部材４がそれらの間の遊びによって傾きを生じても屋内側爪部材２とガイドレール部３ｂとの相対回転方向における係合が解除されないようなものに設定されている。
【００２５】
また、長ナット５は、屋外側爪部材３のストッパーを兼ねており、屋外側爪部材３は、長ナット５に当接することで、軸部材４上をそれ以上屋外側、即ち基端側に移動することができないようになされている。
【００２６】
更に、軸部材４の先端側雄ネジ部４ａにおける先端外周雄ネジ部分には、屋内側爪部材２が軸部材４の先端側に抜けてしまわないようにするための潰し部４ｃが形成されている。
【００２７】
上記の壁つなぎ取付け金物１は、図５に示すようにして、建物の例えば躯体の鉄骨６に取り付けることができる。即ち、図５（イ）に示すように、両爪部材２，３の爪部２ａ，３ａを上向きにし、図５（ロ）に示すように、屋内側爪部材２の爪部２ａを、建物の鉄骨であるＨ形鋼梁６の下フランジ６ａの屋内側の縁部に係合させる。その際、屋内側爪部材２の爪部２ａを上向きに保持するのに、手を屋内側に伸ばして屋内側爪部材２を支えるというようなことをする必要はなく、屋外側爪部材３の爪部３ａが上向きになるように屋外側爪部材３を手で支えれば、屋内側爪部材２の爪部２ａも上向きに保持され、従って、壁つなぎ取付け金物１の屋内側爪部材２の爪部２ａをＨ形鋼梁６の下フランジ６ａの屋内側の縁部に容易に係合させることができる。
【００２８】
こうして、屋内側爪部材２の爪部２ａを建物鉄骨６に係合させた後、長ナット５を回して軸部材４を回転させ、図５（ハ）に示すように、屋外側爪部材３の爪部３ａをＨ形鋼梁６の下フランジ６ａの屋外側の縁部に係合させる。軸部材４は、回転によって、先端部が屋内側爪部材２から進出していき、それに伴って長ナット５が屋外側爪部材３を屋内側に押し動かしていき、その過程で、屋外側爪部材３の爪部３ａが建物鉄骨６と係合し、Ｈ形鋼梁６の下フランジ６ａが両側から爪部２ａ，３ａで挟み込まれた係合取付け状態が形成される。
【００２９】
図４に示すように、足場７は、壁つなぎ８の一端雄ネジ部を取付け金物１の長ナット５と螺合させ、壁つなぎ８の他端の継ぎ手部８ａを足場７のパイプに連結することにより、建物鉄骨６にしっかりと支えられる。
【００３０】
このように、上記の壁つなぎ取付け金物１によれば、その屋内側爪部材２の爪部２ａを、屋内側に手を伸ばさなくとも、屋外側爪部材３を支えることで上向きに保持することができ、屋内側爪部材２の爪部２ａを建物鉄骨６の屋内側に容易に係合させることができて、壁つなぎ取付け金物１を屋外側から建物鉄骨６に容易に取り付けることができる。また、ガイドレール部３ｂによって、両爪部材２，３の爪部２ａ，３ａは、金物単独の状態において常に同じ向きを向くから、金物１の保管や運搬において嵩張ることもないし、取扱いも容易である。
【００３１】
更に、上記の実施形態では、屋外側爪部材３に一体に備えさせたガイドレール部３ｂを向き固定手段としているから、向き固定手段を備えさせたからといって、取付け金物１の構成部品点数が増加してしまうことがなく、金物１を少ない点数の部品の組み合わせで容易に製作することができる。
【００３２】
以上に、本発明の実施形態を示したが、本発明はこれに限られるものではなく、発明思想を逸脱しない範囲で、各種の変更が可能である。例えば、上記の実施形態では、壁つなぎ取付け金物１を屋外側から取り付ける場合を説明しているが、屋内側から取り付けるようにしてもよい。即ち、屋内側爪部材２を手で支えてその爪部２ａを上向きに保持すれば、屋外側爪部材３の爪部３ａも上向きに保持され、金物１の屋外側爪部材３の爪部３ａをＨ形鋼梁６の下フランジ６ａの屋外側縁部に容易に係合させることができて取付けを屋内側からでも容易に行うことができる。なお、その場合は、長ナット５が屋外側に位置しているため、長ナット５を回すのが困難であるから、軸部材４の屋内側に端部に、軸部材４を回転させる操作部を備えさせるようにするとよい。また、取付け状態において爪部２ａ，３ａの向きは、上向きに限らず、横向き等であってもよいことはいうまでもない。
【００３３】
また、上記の実施形態では、屋外側爪部材３にガイドレール部３ｂを備えさせることで両爪部材２，３の相対回転を規制するようにしているが、屋内側爪部材に備えさせたガイドレール部で向き固定手段を構成するようにしてもよい。また、本発明における向き固定手段は、上記のようなガイドレール部３ｂに限られるものではなく、各種態様のものを採用することができ、要は、軸部材４上で回転自在の両爪部材２，３が相対回転するのを阻止し同じ向きを向いた状態に保持することができるようなものでありさえすればよい。
【００３４】
更に、上記の実施形態では、軸部材４の屋外側の端部に一体的に取り付けた長ナット５を壁つなぎ８を連結するための連結部とした場合を示しているが、軸部材の屋外側の端部に形成した雄ネジ部を壁つなぎ連結部としてもよいし、また、屋外側爪部材３に壁つなぎ連結部を形成するようにしてもよいし、屋内側爪部材に屋外側への延長部を形成し、この延長部に壁つなぎ連結部を形成するようにしてもよいし、要は、壁つなぎ取付け金物に壁つなぎ連結部が備えられていればよい。
【００３５】
また、上記の実施形態では、壁つなぎ取付け金物１を取り付ける建物鉄骨６がＨ形鋼梁の場合を示したが、建物鉄骨はＨ形鋼梁以外のものであってもよく、要は、屋外側爪部材と屋内側爪部材の各爪部を上向き等にし、これら爪部を屋内外方向に相対接近させて取付け係合状態にすることができるような構造の建物鉄骨であればよく、爪部材における爪部の形態についてもそのような構造のものであればよい。
【００３６】
【発明の効果】
本発明壁つなぎ取付け金物は、以上のとおりのものであるから、建物の鉄骨に容易に取り付けることができ、しかも、運搬や保管等において嵩張らず、取扱いも容易である。更に、一方の爪部材に一体に備えられたガイドレール部が、上向き開放のリップ無し溝形形状をした断面コ字状をしているので、壁つなぎ取付け金物の製作において、もう一方の爪部材をガイドレール部の上向き開放部を通じて該ガイドレール部の溝内にセットすることが可能になって、ガイドレール部への前記もう一方の爪部材のセッティングを容易に行うことができ、しかも、該一方の爪部材に備えられたパイプ材によって、軸部材を、リップ無し溝形形状をした断面コ字状のガイドレール部の溝内に保持し、該パイプ材に通した軸部材によって、もう一方の爪部材を、前記一方の爪部材のリップ無し溝形形状をした断面コ字状のガイドレール部の溝内に保持するようにしているので、ガイドレール部がリップ無し溝形形状をした断面コ字状でありながら、前記もう一方の爪部材をガイドレール部の溝内に保持するのを、一方の爪部材に備えられたパイプ材に軸部材を通しただけの簡素な構造により、実現することができる。
【図面の簡単な説明】
【図１】実施形態の壁つなぎ取付け金物を示す斜視図である。
【図２】同壁つなぎ取付け金物の分解斜視図である。
【図３】（イ）は同壁つなぎ取付け金物の平面図、図（ロ）は同側面図である。
【図４】同壁つなぎ取付け金物を用いて足場を壁つなぎ状態にした断面側面図である。
【図５】図（イ）〜図（ハ）は壁つなぎ取付け金物の取付け方法を順次に示す断面側面図である。
【図６】従来の壁つなぎ取付け金物を示すもので、図（イ）は同金物を用いて足場を壁つなぎ状態にした断面側面図、図（ロ）は屋内側爪部材が下向きになってしまった状態の断面側面図である。
【符号の説明】
１…壁つなぎ取付け金物
２…屋内側爪部材
２ａ…爪部
２ｂ…ナット（ネジ機構）
３…屋外側爪部材
３ａ…爪部
３ｂ…ガイドレール部（向き固定手段）
４…軸部材
４ａ…雄ネジ部（ネジ機構）
５…長ナット（壁つなぎ連結部）
６…建物鉄骨
７…足場
８…壁つなぎ
【図１】
0003917007.tif 000002
【図２】
0003917007.tif 000003
【図３】
0003917007.tif 000004
【図４】
0003917007.tif 000005
【図５】
0003917007.tif 000006
【図６】
0003917007.tif 000007